(57)【要約】【課題】組付工程を簡素化しつつ、端子と電線との接続部分の損傷を抑制することが可能なコネクタを提供する。【解決手段】コネクタ１０は、第１の電線１２Ａと第２の電線１２Ｂとを有する複数の電線１２と、複数の電線１２の端末部に接続される複数の端子１４と、各端子１４が収容される複数の端子収容室２１と第１の電線１２Ａ及び第２の電線１２Ｂが挿通されて外部に導出される電線挿通室２４とが形成されたハウジング２０と、電線挿通室２４に挿通された第１の電線１２Ａと第２の電線１２Ｂとの間に配されて第１の電線１２Ａと第２の電線１２Ｂとを電線挿通室２４の内壁２４Ａに押圧する押圧部材３０と、を備える。【選択図】図２
2019153409.tif 000002
【特許請求の範囲】
【請求項１】
第１の電線と第２の電線とを有する複数の電線と、
前記複数の電線の端末部に接続される複数の端子と、
各前記端子が収容される複数の端子収容室と前記第１の電線及び前記第２の電線が挿通されて外部に導出される電線挿通室とが形成されたハウジングと、
前記電線挿通室に挿通された前記第１の電線と前記第２の電線との間に配されて前記第１の電線と前記第２の電線とを前記電線挿通室の内壁に押圧する押圧部材と、を備えるコネクタ。
【請求項２】
前記押圧部材は、先細状の先細部と、前記先細部の後方に連なり前記先細部よりも厚み寸法が大きくされた厚肉部と、を有する請求項１に記載のコネクタ。
【請求項３】
前記先細部は、先端部を切り欠いて形成された切欠部と、前記切欠部により弾性変形可能とされ、前記ハウジングに係止して前記ハウジングに対する前記押圧部材の離脱を規制する離脱規制部と、を備える請求項２に記載のコネクタ。
【発明の詳細な説明】
【技術分野】
【０００１】
本明細書では、コネクタに関する技術を開示する。
【背景技術】
【０００２】
従来、複数の電線の端末部に接続された複数の端子をハウジングに収容して構成されたコネクタが知られている。特許文献１のコネクタは、電線が接続された端子と、端子を収容する端子収容部が形成されたハウジングとを備えており、端子は、端子収容部の内壁から突出するランスによって抜け止めされている。複数の電線はハウジングの開口端から引き出されており、粘着テープ等によりハウジング端面から下方に延出する電線保持部材に巻き付けられて固定されている。
【先行技術文献】
【特許文献】
【０００３】
【特許文献１】特開２０１６−９５２７号公報
【発明の概要】
【発明が解決しようとする課題】
【０００４】
ところで、端子をハウジングのランス等に係止させて抜け止めする構成では、ハウジングの開口端から引き出された電線に対して抜け方向の力が生じた場合には、端子と電線との接続部分に応力が生じ、端子と電線との接続部分の損傷等が懸念される。特許文献１では、ハウジングの開口端から引き出された電線は、粘着テープ等により電線保持部材に巻き付けられて保持されているが、この場合、粘着テープ等の巻き付け作業の手間がかかるという問題がある。
【０００５】
本明細書に記載された技術は、上記のような事情に基づいて完成されたものであって、組付工程を簡素化しつつ、端子と電線との接続部分の損傷を抑制することが可能なコネクタを提供することを目的とする。
【課題を解決するための手段】
【０００６】
本明細書に記載されたコネクタは、第１の電線と第２の電線とを有する複数の電線と、前記複数の電線の端末部に接続される複数の端子と、各前記端子が収容される複数の端子収容室と前記第１の電線及び前記第２の電線が挿通されて外部に導出される電線挿通室とが形成されたハウジングと、前記電線挿通室に挿通された前記第１の電線と前記第２の電線との間に配されて前記第１の電線と前記第２の電線とを前記電線挿通室の内壁に押圧する押圧部材と、を備える。
本構成によれば、第１の電線と前記第２の電線との間に配された押圧部材により第１の電線と第２の電線とがハウジングの電線挿通室の内壁に押圧されるため、電線挿通室から外部に導出された電線に外部から力が与えられた場合に、端子と電線との接続部分に生じる応力を抑制することができる。これにより、組付工程を簡素化しつつ、端子と電線との接続部分の損傷を抑制することが可能となる。
【０００７】
本明細書に記載された技術の実施態様としては以下の態様が好ましい。
前記押圧部材は、先細状の先細部と、前記先細部の後方に連なり前記先細部よりも厚み寸法が大きくされた厚肉部と、を有する。
このようにすれば、先細状の先細部を第１の電線と第２の電線との間に差し込むことができるため、押圧部材の組付けを容易に行うことができる。
【０００８】
前記先細部は、先端部を切り欠いて形成された切欠部と、前記切欠部により弾性変形可能とされ、前記ハウジングに係止して前記ハウジングに対する前記押圧部材の離脱を規制する離脱規制部と、を備える。
このようにすれば、ハウジングに対する押圧部材の離脱を規制することが可能となる。
【発明の効果】
【０００９】
本明細書に記載された技術によれば、組付工程を簡素化しつつ、端子と電線との接続部分の損傷を抑制することが可能なコネクタを提供することができる。
【図面の簡単な説明】
【００１０】
【図１】実施形態のコネクタを示す正面図
【図２】図１のＡ−Ａ断面図
【図３】端子付き電線を示す斜視図
【図４】ハウジング及び押圧部材を示す分解斜視図
【図５】ハウジングを示す平断面図
【図６】押圧部材を示す斜視図
【図７】押圧部材を示す平面図
【図８】押圧部材を示す正面図
【図９】押圧部材を示す背面図
【図１０】ハウジングに押圧部材が組み付けられた状態を示す斜視図
【図１１】ハウジングに押圧部材が組み付けられた状態を示す正面図
【図１２】図１１のＢ−Ｂ断面図
【図１３】端子付き電線が装着されていない状態のコネクタを示す背面図
【図１４】図１３のＣ−Ｃ断面図
【図１５】複数の第１電線と複数の第２電線との間に押圧部材を挿入して組み付ける工程を説明する図
【発明を実施するための形態】
【００１１】
＜実施形態＞
実施形態について図１〜図１５を参照しつつ説明する。
本実施形態のコネクタ１０は、例えば自動車等の車両に搭載され、例えば電線や機器等に接続された相手側コネクタと嵌合するものである。以下では、図１，図２のＸ方向を前方、Ｙ方向を左方、Ｚ方向を上方として説明する。
【００１２】
コネクタ１０は、図２に示すように、複数の端子付き電線１１と、複数の端子付き電線１１が収容されるハウジング２０と、ハウジング２０に装着されて複数の電線１２を押圧する押圧部材３０と、を備える。
【００１３】
複数の端子付き電線１１は、ハウジング２０に上下２段、左右に多数（複数）が並んで収容されており、図３に示すように、複数の電線１２の端末部に複数の端子１４が接続されてなる。複数の電線１２は、上段側に並べられた複数の第１の電線１２Ａと、下段側に並べられた複数の第２の電線１２Ｂとを有する。各電線１２は、共に、銅、銅合金、アルミニウム、アルミニウム合金等からなる導体部１３Ａの周囲が絶縁性の被覆１３Ｂで覆われており、端末部は被覆１３Ｂが除去されて導体部１３Ａが露出している。各端子１４は、銅、銅合金、アルミニウム、アルミニウム合金等の金属製の雌端子であって、相手側の雄端子と接続される弾性接触片が内部に収容された角筒状の箱部１５を備える。電線１２の導体部１３Ａは、端子１４に対して例えば溶接、圧接、圧着等の公知の接続手段により接続されている。箱部１５の外面には、撓み変形可能な金属ランス１６が形成されている。ハウジング２０の端子収容室２１の内壁の凹部（図示しない）に金属ランス１６が係止されることにより端子１４が抜け止めされている。
【００１４】
ハウジング２０は、合成樹脂製であって、図４，図５，図１１に示すように、扁平な直方体状とされており、上下２段、左右に多数（複数）の端子収容室２１が並んで設けられている。各端子収容室２１は、各端子１４を後方から挿入可能な形状とされ、前方側を閉鎖する前壁４７を備える。前壁４７には、相手側コネクタの雄端子が挿入される端子挿入孔４８が形成されている。ハウジング２０の上部には、相手側コネクタハウジングとの嵌合状態をロックするロックアーム４３が形成されている。ロックアーム４３は相手側コネクタハウジングに対して正規嵌合状態で係止するロック突部４４が形成されている。ハウジング２０の後端部には、外方に鍔状に張り出す張出部４５が形成されている。
【００１５】
ハウジング２０の両側壁には、一対の係止凹部２６Ｂが側壁を切り欠いて形成されている。各係止凹部２６Ｂは、押圧部材３０に係止する段差面２７Ｂを有する。端子収容室２１の後方（ハウジング２０の後端部）は、各端子収容室２１の後方に延出された全て（複数）の電線１２が外部に導出される直方体状の空間を形成する電線挿通室２４とされている。電線挿通室２４は、上下に対向する長尺の内壁２４Ａと左右に対向する短尺の内壁２４Ｂとを有する。上下の内壁２４Ａには、前後方向に延びる複数の電線通し溝２５が左右方向に波形状に並んで形成されている。各電線通し溝２５は、電線１２の外周に沿う凹状面を有する。
【００１６】
押圧部材３０は、例えば、合成樹脂製又は金属製であって、左右方向に長い長方形状の板状であり、図２に示すように、先細状の先細部３１と、先細部３１の後方に連なり厚み寸法が大きくされた厚肉部３６とを備える。先細部３１は、先端に向けて厚み寸法が小さくなる略三角形状であって、図６に示すように、押圧部材３０の全幅に亘って延びており、上下の両面は、押圧部材３０の挿入時に電線１２の外周に摺接可能な傾斜面３２とされている。先細部３１の幅方向の端部には、ハウジング２０の係止凹部２６Ｂに係止する一対の離脱規制部３３，３３が外方に突出して設けられている。一対の離脱規制部３３，３３の内側には、先細部３１を切り欠いた形状の一対の切欠部３４が形成されている。離脱規制部３３は、係止凹部２６Ｂへの係止及び解除の際には、切欠部３４内の空間により撓み変形する。
【００１７】
厚肉部３６は、先細部３１よりも厚み寸法が大きくされており、押圧部材３０の全幅に亘って延びている。厚肉部３６は、押圧部材３０の前後方向の中間部の厚み寸法が後端部の厚み寸法よりも大きくされている。厚肉部３６の上下両面における左右の端部には、図６に示すように、前後方向に延びる突条３７が形成されている。
【００１８】
押圧部材３０が電線挿通室２４における上下の電線１２間に挿入された際には、先細部３１の上下の傾斜面３２が上下の電線１２の被覆１３Ｂに摺接するとともに、厚肉部３６の上下の押圧面３６Ａ，３６Ｂが電線１２の外周面を押圧する。これにより、電線１２はわずかに変形しつつ、電線挿通室２４の内壁２４Ａと押圧部材３０との間に電線１２が挟持される。押圧部材３０の突条３７は、電線挿通室２４の左右の端部における内壁２４Ａ，２４Ｂに当接することにより電線挿通室２４内の押圧部材３０の位置を保持する（図１２，図１３）。
【００１９】
コネクタ１０の製造工程について説明する。
複数の電線１２の端末部に端子１４を接続して複数の端子付き電線１１を形成する（図３）。次に、複数の端子付き電線１１の各端子１４をハウジング２０における端子収容室２１の正規位置まで挿入し、端子収容室２１の内壁に金属ランス１６を係止させる。
【００２０】
次に、図１５に示すように、複数の第１の電線１２Ａと複数の第２の電線１２Ｂとの間に押圧部材３０を先細部３１側から挿入し、ハウジング２０の電線挿通室２４に押圧部材３０を嵌め入れる。そして、押圧部材３０が電線挿通室２４の正規位置に至ると、押圧部材３０の離脱規制部３３，３３がハウジング２０の係止凹部２６Ｂに係止される。このとき、複数の第１の電線１２Ａと複数の第２の電線１２Ｂとの間に挟持された押圧部材３０の押圧面３６Ａ，３６Ｂは、第１の電線１２Ａの外周面と複数の第２の電線１２Ｂの外周面とを電線挿通室２４の内壁２４Ａの電線通し溝２５の凹状面に押し付けた状態となる。
【００２１】
本実施形態によれば、以下の作用、効果を奏する。
コネクタ１０は、第１の電線１２Ａと第２の電線１２Ｂとを有する複数の電線１２と、複数の電線１２との端末部に接続される複数の端子１４と、各端子１４が収容される複数の端子収容室２１と第１の電線１２Ａ及び第２の電線１２Ｂが挿通されて外部に導出される電線挿通室２４とが形成されたハウジング２０と、電線挿通室２４に挿通された第１の電線１２Ａと第２の電線１２Ｂとの間に配されて第１の電線１２Ａと第２の電線１２Ｂとを電線挿通室２４の内壁２４Ａに押圧する押圧部材３０と、を備える。
本実施形態によれば、第１の電線１２Ａと第２の電線１２Ｂとの間に配された押圧部材３０により第１の電線１２Ａ及び第２の電線１２Ｂがハウジング２０の電線挿通室２４の内壁２４Ａに押圧されるため、電線挿通室２４から外部に導出された電線１２に外部から力が与えられた場合に、端子１４と電線１２との接続部分に生じる応力を抑制することができる。これにより、組付工程を簡素化しつつ、端子１４と電線１２との接続部分の損傷を抑制することが可能となる。また、例えばコネクタを小型化する場合に複数の電線１２を個別に押圧することが困難な場合であっても、本実施形態によれば、押圧部材３０の両面を用いて複数の電線１２を纏めて押圧することができるため、コネクタを小型化することが可能になる。
【００２２】
また、押圧部材３０は、先細状の先細部３１と、先細部３１の後方に連なり先細部３１よりも厚み寸法が大きくされた厚肉部３６とを有する。
このようにすれば、先細状の先細部３１を第１の電線１２Ａと第２の電線１２Ｂとの間に差し込むことができるため、押圧部材３０の組付けを容易に行うことができる。
【００２３】
先細部３１は、先端部を切り欠いて形成された切欠部３４と、切欠部３４により弾性変形可能とされ、ハウジング２０に係止してハウジング２０に対する押圧部材３０の離脱を規制する離脱規制部３３，３３とを備える。
このようにすれば、先細部３１の形状を利用してハウジング２０に対する押圧部材３０の離脱を規制することが可能となる。
【００２４】
＜他の実施形態＞
本明細書に記載された技術は上記記述及び図面によって説明した実施形態に限定されるものではなく、例えば次のような実施形態も本明細書に記載された技術の技術的範囲に含まれる。
（１）押圧部材３０は、先細部３１を備える構成としたが、先細部３１を備えない構成としてもよい。例えば、押圧部材３０を一定の厚みで形成してもよい。
【符号の説明】
【００２５】
１０：  コネクタ
１１：  端子付き電線
１２：  電線
１４：  端子
２０：  ハウジング
２１：  端子収容室
２４：  電線挿通室
２４Ａ：上下に対向する内壁
２５：  電線通し溝
２６Ｂ：  係止凹部
２７Ｂ：  段差面
３０：  押圧部材
３１：  先細部
３３：  離脱規制部
３４：  切欠部
３６：  厚肉部
【図１】
2019153409.tif 000003
【図２】
2019153409.tif 000004
【図３】
2019153409.tif 000005
【図４】
2019153409.tif 000006
【図５】
2019153409.tif 000007
【図６】
2019153409.tif 000008
【図７】
2019153409.tif 000009
【図８】
2019153409.tif 000010
【図９】
2019153409.tif 000011
【図１０】
2019153409.tif 000012
【図１１】
2019153409.tif 000013
【図１２】
2019153409.tif 000014
【図１３】
2019153409.tif 000015
【図１４】
2019153409.tif 000016
【図１５】
2019153409.tif 000017